(57)【要約】【課題】田畑、ゴミ集積所、建物、養殖池などに、烏、鳩、雀、鷺、鴎などの鳥類が飛来するのを防ぎ、鳥類による被害を防止する。【解決手段】やや水平に張られた横ロープ１７と、横ロープ１７に挿通されてその周方向に回転自在に保持されたフリーパイプ１４と、フリーパイプ１４のやや中央にその上端が結束された吊り下げ紐１３と、吊り下げ紐１３の下端にその上部が連結された細長い金属反射片１１とから構成された鳥類飛来防止装置である。【選択図】        図７
2004350610.tif 000002
【特許請求の範囲】
【請求項１】
やや水平に張られた横ロープと、横ロープに挿通されてその周方向に回転自在に保持されたフリーパイプと、フリーパイプのやや中央にその上端が結束された吊り下げ紐と、吊り下げ紐の下端にその上部が連結された細長い金属反射片とから構成された鳥類飛来防止装置。
【請求項２】
やや水平に張られた横ロープと、横ロープに挿通されてその周方向に回転自在に保持された二本のフリーパイプと、一方のフリーパイプの端であって、他のフリーパイプに近い位置にその上端が結束された吊り下げ紐と、吊り下げ紐の下端にその上部が連結された細長い金属反射片とから構成された鳥類飛来防止装置。
【請求項３】
前記金属反射片は、細長い形状の素材を上下端で反転するように捩じり、プロペラ状に形成したことを特徴とする請求項１及び２記載の鳥類飛来防止装置。
【請求項４】
前記金属反射片は、金属チタンを素材として、その表面には酸化皮膜を形成してあり、複数の色彩を発色させたことを特徴とする請求項１及び２記載の鳥類飛来防止装置。
【請求項５】
前記吊り下げ紐は、その長さ方向に伸縮できる弾性のある素材で形成したことを特徴とする請求項１及び２記載の鳥類飛来防止装置。
【請求項６】
前記吊り下げ紐には、その途中に風鈴を設けたことを特徴とする請求項１及び２記載の鳥類飛来防止装置。
【請求項７】
前記金属反射片には、磁性を持つ磁石を取り付けたことを特徴とする請求項１及び２記載の鳥類飛来防止装置。
【発明の詳細な説明】
【０００１】
【発明が属する技術分野】
本発明は、田畑、ゴミ集積所、建物、養殖池などに、烏、鳩、雀、鷺、鴎などの鳥類が飛来するのを防ぎ、鳥類による被害を防止することができる鳥類飛来防止装置に関するものである。
【０００２】
【従来の技術】
従来より、繁華街、住宅街、農山村、漁村などの場所を問わず、各地で烏、鳩、雀、鷺、鴎などの鳥類による人的、物理的な被害が目立つものであった。
【０００３】
耕作地を持つ農山村では、水田や田畑で稲、陸稲を栽培しているが、稲、陸稲の穀物が雀に狙われて収穫量の一部が食い荒らされる被害にあっている。ブドウ、びわなどを植えている果樹園や苺、トマトなどを栽培している田畑であっては、烏、鳩などにより果実や野菜が食い荒らされる被害が続出していて、農家の悩みの元であった。養魚場や生け簀を持つ漁村であっては、鷺や鴎などにより養殖魚や生魚がついばまれる被害があり、出荷高の減少の原因となっていた。これらの被害は金銭的な被害であり、農業や漁業に従事している人にとっては死活問題となっていた。
【０００４】
郊外地域にある農漁村ばかりか、市街地の繁華街であっても鳥類の被害は目立つものであった。繁華街に設置されたゴミ集積所では、烏が餌を求めて群がり、生ゴミ、残飯、飲食物を収納したゴミ収集袋をついばむ被害が毎日のように起きている。このような鳥害では、烏がゴミ集積所に置かれているゴミ収集袋の中から残飯だけを引きずり出すため、残飯などによって路上が汚されることになる。すると、ゴミが路上に散乱して街の美観が損なわれるばかりか、その清掃に多大の出費が必要となる被害が発生することになった。
【０００５】
また、住居地域における住宅や建物では、烏や鳩が屋根、軒にとまることにより、鳥類が排出した糞による被害が目立っていた。鳥類の糞が建物の屋根やベランダに落下すると、その部分に糞の成分が付着して汚損されるものである。また、糞が乾燥すると、その糞の微粉末が飛散するため、微粉末を媒介にして各種の病原菌が伝染し、呼吸器系疾患の要因となっていた。
【０００６】
このように、鳥類による各種の被害は年々激しくなっており、それらの被害を最小限に抑えるための有効な対策が求められていた。
【０００７】
【発明が解決しようとする課題】
このように、鳥類の被害は農漁村、市街地を問わず発生しているため、以前から鳥類の接近を回避し、鳥類が耕作地、養魚場、建物に近づかせない装置や道具が提案されてきている。しかし、それぞれの装置や道具であっては、一長一短であり、万能なものは開発されていなかった。以下に、従来から知られている鳥類飛来防止装置の例とその欠点を説明する。
【０００８】
威嚇による脅かし。
【０００９】
古来から鳥類を田畑に寄せつけない方法に、人間に似た案山子を田畑の付近に立てることが知られている。この威嚇方法では一時的に効果があるが、案山子が攻撃性の無い置物に過ぎないと雀などが判断すると、その上に止まって遊んだりするようになり、全く効き目が無いものであった。このため、雀や鳩の天敵の鷹や鳶などの猛禽類を模した模型をする威嚇も考えられたが、同様に時間とともに鳥類が慣れてしまう欠点があった。この猛禽類に似せた模型に本物のような動きをつけて威嚇しても、鳥類がそれらに慣れる時間が長くなるだけで同じような結果となっていた。また、大きな目玉のようなビニール製の風船で脅かすことも試みられたが、同じように鳥類は慣れてしまう結果となっていた。
【００１０】
光線を反射する材料での忌避。
【００１１】
鳥類は強い光に拒絶反応を示すため、太陽光を反射してキラキラと光る金色や銀色のテープを田畑や果樹園に張りめぐらすことも考えられた。同じように、表面に金属膜を蒸着させたプラスチック製の反射鏡を吊り下げ、太陽光を反射させるようにした方法も試された。この方法であっても、長期的に使用すると鳥類には慣れが生じ、初期の効果を維持できなものであった。
【００１２】
網による取り囲み。
【００１３】
物理的に鳥類が進入しない網目の網を張りめぐらすことが実施されている。田畑や果樹園の全体を網で覆ったり、ベランダの開口部を網で塞ぐ方法である。この方法では、飛来する鳥類は絶対に内部に進入できないため、極めて効果が高いものである。しかし、田畑や果樹園の全域を防鳥網で覆うことなると、膨大な費用がかかるものとなり、農作業において不便になるものであった。また、ベランダに網を張りめぐらすと、建物の外観が悪くなり、美観の点からすればあまり良いものではない。さらに、防鳥網はその繊維が細いため破れることがあり、交換したり修繕したりしなければならず、設置後における保守の費用がかかるものであった。
【００１４】
爆発音や威嚇音による脅かし。
【００１５】
ガスや火薬類を使用して、間欠的に爆発を起こさせ、その衝撃音によって鳥類を驚かせて忌避させる方法も考えられた。また、スピーカーにより鳥類の嫌がる不快音響を鳴らすことも試されたが、いずれの方法でも音響に鳥類が慣れてしまい、継続的な忌避には役に立たないものであった。さらに、住宅に接近した耕作地であっては、爆発音や不快音が鳴らされると、近隣に住む住人からの騒音の苦情が出てくることになった。
【００１６】
磁石による忌避。
【００１７】
鳥類は磁性により方向感覚が失われる、言われるため、風などにより振動する磁石を設けて鳥類を忌避させる方法も考えられた。しかし、磁気による忌避であってはどの程度の効果が得られるか疑問であり、長年の使用では鳥類が慣れてしまうことも多いものであった。
【００１８】
超音波による忌避。
【００１９】
超音波発生機によりスピーカーから鳥類が集まる方向に向けて超音波を発射し、鳥類を忌避する方法も考えられた。この方法では広い範囲に超音波を発射させようとすると、膨大な費用が掛かり、実用的なものではなかった。
【００２０】
忌避剤を使用する方法。
【００２１】
鳥類が嫌がる匂いを混ぜた忌避剤を塗布することで、鳥類を近くに寄せつけない方法も考えられた。この方法では、忌避剤を鳥類が飛来するような屋根やベランダに塗布し、その場所に留まらないようにして忌避させるものである。この方法では直接的な効果があるが、忌避剤はもともと薬品であり、農作物などの食品に関連するような場所には使用することができないものであった。
【００２２】
レーザー光による忌避。
【００２３】
鳥類に向けて強力なレーザー光線を照射し、光によって鳥類を追い払う方法も試されている。光が強力であることから、鳥類はその光線を嫌がり、レーザー発射装置の付近には寄りつかなくなる。だが、レーザー光線が強力であると、人間の網膜にも支障が生じ、視覚障害を発生させることとなり、このような装置は人間に危険なものとなった。
【００２４】
本発明は従来の欠点を改善して、半永久的に鳥類を耕作地、田畑、建物、養魚池などに寄せつけないように忌避させることができる鳥類飛来防止装置を提供するものである。また、本発明の特徴は、チタンを素材とする金属反射片の表面を酸化し、独特の色彩を付着させることにより、鳥類の学習効果を無くして忌避効果を継続させることができる鳥類飛来防止装置に関するものである。さらに、薬害が無く、電気などの原動力を使用しないためランニングコストが安く、光線などを使用しないため人体に安全な鳥類飛来防止装置を提供するものである。
【００２５】
【課題を解決するための手段】
本発明は、やや水平に張られた横ロープと、横ロープに挿通されてその周方向に回転自在に保持されたフリーパイプと、フリーパイプのやや中央にその上端が結束された吊り下げ紐と、吊り下げ紐の下端にその上部が連結された細長い金属反射片とから構成された鳥類飛来防止装置を提供するものである（請求項１）。
【００２６】
本発明は、やや水平に張られた横ロープと、横ロープに挿通されてその周方向に回転自在に保持された二本のフリーパイプと、一方のフリーパイプの端であって、他のフリーパイプに近い位置にその上端が結束された吊り下げ紐と、吊り下げ紐の下端にその上部が連結された細長い金属反射片とから構成された鳥類飛来防止装置を提供するものである。（請求項２）
本発明は、前記金属反射片は、細長い形状の素材を上下端で反転するように捩じり、プロペラ状に形成したことを特徴とする鳥類飛来防止装置を提供するものである。（請求項３）
本発明は、前記金属反射片は、金属チタンを素材として、その表面には酸化皮膜を形成してあり、複数の色彩を発色させたことを特徴とする鳥類飛来防止装置を提供するものである。（請求項４）
本発明は、前記吊り下げ紐は、その長さ方向に伸縮できる弾性のある素材で形成したことを特徴とする鳥類飛来防止装置を提供するものである。（請求項５）
本発明は、前記吊り下げ紐には、その途中に風鈴を設けたことを特徴とする鳥類飛来防止装置を提供するものである。（請求項６）
本発明は、前記金属反射片には、磁性を持つ磁石を取り付けたことを特徴とする鳥類飛来防止装置を提供するものである。（請求項７）
【００２７】
【発明の実施の形態】
以下、本発明の実施の形態を図面により説明する。図１は本発明の第一の実施の形態であり、鳥類飛来防止装置を構成する部材を分解して、それぞれの構造を示したものである。この図１における構成が一つのユニットとなっていて、単一或いは複数のユニットを使用することにより鳥類が装置の付近に飛来することを忌避させることができるものである。装置の一つのユニットは、金属反射片１１、吊り下げ紐１３、フリーパイプ１４、結束バンド１５、１６、横ロープ１７より構成されている。なお、横ロープ１７は複数のユニットを共通して保持することができるので、ユニットの単位とはならないが、ここでは部材の一つとして説明する。
【００２８】
金属反射片１１は短冊状をした細長い金属片をその上下で百八十度に捩じり、全体をプロペラの羽根のように形成してあり、その上部中央には通し穴１２を開口してある。金属反射片１１の素材はチタンであり、その表面は電気分解により酸化させて発色させてある。この金属反射片１１の形状と加工の手順を図２により説明する。図２中の（１）は加工する前の金属反射片１１であり、四つの角が丸められた細長い長方形をした平坦な形状をしている。この形状では、下辺の幅が上辺の幅よりも少し長い短冊状をしていて、その上部には通し穴１２が貫通開口してある。この金属反射片１１を図２中（１）で示すように、その上端はそのままの位置にあり、下端をＣ方向に百八十度捻る。このため、金属反射片１１は図２中（２）で示すように全体を捩じったややプロペラ状に加工されている。そして、金属反射片１１は金属チタンを素材としており、金属反射片１１の表面は陽極酸化法により酸化皮膜を形成してある。陽極酸化法による酸化皮膜の形成方法は従来から周知の技術であり、電解液に金属反射片１１を浸しながら序々に引き上げ、同時に加えらている電圧を変動させて酸化皮膜の厚みを変化させる。この処理により、金属反射片１１の表面の酸化皮膜の厚みは順次変化し、その上下方向では光の屈折作用により発色する色彩が変わってくる。実施例の図２中（２）では、金属反射片１１の下部から紫色３１、橙色３２、黄色３３、金色３４、青色３５の順になだらかにその表面の色彩が変化している。このため、金属反射片１１の表面には、屈折光により一見すると虹のような変化に富んだ鮮やかな発色が施されている。この虹色は、酸化皮膜の厚みにより発色される色彩が微妙に変わってくることから生じるものであり、従来から良く知られている。
【００２９】
次に、吊り下げ紐１３は伸縮性があるゴム等の材料で形成されており、その断面は円形であり、その下端及び上端には紐輪１３−ａ、１３−ｂが環状に形成してある。この吊り下げ紐１３は両端を引っ張ると伸縮できる弾性を持り、その断面が円形であることが特徴である。このため紐輪１３−ａ、１３−ｂを形成しようとすると簡単には結び目が形成できない。結び目は図３の手順によって形成する。吊り下げ紐１３の先端４１を反転させ、図３（１）のように吊り下げ紐１３の側面に密着させて折り曲げ部４２を形成する。二重になった上部を円形となるように下方に曲げ、図３（２）で示すように二重部分だけで輪空間４３を形成する。この輪空間４３に折り曲げ部４２の先端をＤ方向に入れ、形成した空間の裏側から引き出す。折り曲げ部４２を輪空間４３に挿入した状態が図３（３）で示されている。この状態で、折り曲げ部４２をＦ方向に強く引き出すと、輪空間４３の内径が狭められて、図３（４）で示すように固い結び目４４が形成される。このように結び目４４を形成することで、紐輪１３−ａ、１３−ｂはほつれることなく、その結ばれた形状を維持することができる。
【００３０】
また、フリーパイプ１４はポリプロピレン等の合成樹脂で形成した両端が開口した円筒形状をしたもので、このフリーパイプ１４の全長は吊り下げ紐１３の長さの二倍よりも少し長く設定してある。つまり、吊り下げ紐１３の上端をフリーパイプ１４の中央に固定しても、吊り下げ紐１３の下端はフリーパイプ１４の左右の端部にまでは届かない長さとなっている。結束バンド１５、１６は合成樹脂で形成されたもので、一端に挿入穴が形成してあり、他端がベルト状となっているものである。このベルト状の他端を挿入穴に挿入し、他端を引き出すことでリングの内径が絞られ、部材を結束させる作用のあるもので、従来から一般に用いられているものである。そして、横ロープ１７は綿、ポリエチレン、麻等を素材とした紐状のものあり、ユニットとなるこれらの部材を吊り下げるために用いられる。この横ロープ１７の外径はフリーパイプ１４の内径よりも小さく設定してあり、フリーパイプ１４は横ロープ１７を中心にして自由に回転することができる。
【００３１】
図１で示された一つのユニットの部材を組み立てるには、紐輪１３−ａの先端を通し穴１２に挿通し、通し穴１２を通った紐輪１３−ａの開口に紐輪１３−ｂの先端を挿通する。すると、吊り下げ紐１３の下端に金属反射片１１の上部が連結されたことになり、金属反射片１１は吊り下げ紐１３で吊り下げられる。次に、紐輪１３−ｂの開口にフリーパイプ１４を挿通し、紐輪１３−ｂをフリーパイプ１４の中央で固定する。次いで、横ロープ１７の先端を図１中でＡ方向から結束バンド１６、フリーパイプ１４、結束バンド１５の順に通し、横ロープ１７をＢ方向に引き出す。これらのフリーパイプ１４、結束バンド１５、結束バンド１６を横ロープ１７に挿通したならば、結束バンド１５、１６を締め付けるこれらを横ロープ１７に固定する。結束バンド１５と１６を締め付けることで、フリーパイプ１４は横ロープ１７の特定の場所で左右に移動しないように保持されることになる。この締め付けでは、フリーパイプ１４の両端と結束バンド１５と１６の側面との間に多少の間隔を開けてあり、この遊びによりフリーパイプ１４は横ロープ１７の周方向には自由に回転することができるが、その長さ方向には移動できないように保持されている。
【００３２】
このようにして複数の部材で組み立てられた状態が図４で示されている。図４では、鳥類飛来防止装置の一つのユニットを示しているものであり、この状態ではフリーパイプ１４は横ロープ１７の長さ方向には移動しないがその周方向には回転自在に保持され、フリーパイプ１４の中央には吊り下げ紐１３が固定されていて、吊り下げ紐１３の下端に金属反射片１１が吊り下げられている。このように吊り下げられることにより、金属反射片１１はＮＳＥＷのそれぞれの方向に自由に揺動することができ、同時に吊り下げ紐１３の弾性によりＲ方向に自由に旋回することができる。すると、金属反射片１１は風によって水平方向に振れ、周方向に旋回でき、不連続の自由な運動を行うことになる。この金属反射片１１の表面には酸化皮膜により虹のような色彩が発色されているため、太陽光により多色の不思議な金属性の色彩を反射する。しかも、金属反射片１１は風によって微妙に揺れるため、虹色の光がキラキラと反射してあたかも何か他の生物が存在するかのように鳥類に錯覚させることになる。何か動いている生物がそこに存在していて、しかも他の種類の動物であるならば鳥類は接近するのを嫌がる性質を持っている。このため、金属反射片１１がユラユラと動いているならば、鳥類を忌避させる効果が発生する。
【００３３】
図４で組み立てられたユニットを複数用い、実際に耕作地で鳥類を忌避させ、果実がついばまれる鳥害の発生を防止する実際の使用例を示したのが図５である。この使用例では苺畑に鳥類が飛来し、苺が食い荒らされるのを防止するため、苺畑の畝に沿って複数のユニットを並べて駆除する方法を示したものである。
【００３４】
まず、苺畑では直線状に土を盛って栽培畝５１を配置し、栽培畝５１の頂部には間隔を置いて苺５２が植えられている（苺５２ではなく、他の種類の植栽物であっても良い）。この栽培畝５１の長さ方向の両端には、やや垂直に支柱４８と４９をそれぞれ立てある。この支柱４８、４９は、その上端から栽培畝５１の上面までの距離は金属反射片１１の下端から吊り下げ紐１３の上端までの距離よりも長くなるように設定してある。すなわち、吊り下げた金属反射片１１の下端に苺５２と接触せず、苺５２の上方で金属反射片１１が自由に振れるように設定してある。支柱４８と４９の間には横ロープ１７を水平となるように張り渡してあり、横ロープ１７には等間隔に五つのユニットの鳥類飛来防止装置が固定してある。横ロープ１７には５本のフリーパイプ１４−ａ、１４−ｂ、１４−ｃ、１４−ｄ、１４−ｅがそれぞれ回転自在に挿通してある。フリーパイプ１４−ａの中央には金属反射片１１−ａが、フリーパイプ１４−ｂの中央には金属反射片１１−ｂが、フリーパイプ１４−ｃの中央には金属反射片１１−ｃが、フリーパイプ１４−ｄの中央には金属反射片１１−ｄが、フリーパイプ１４−ｅの中央には金属反射片１１−ｅがそれぞれ吊り下げられていて、各金属反射片１１−ａから１１−ｅはそれぞれの苺５２の上方に位置するように配置されている。このような構成で、金属反射片１１−ａから１１−ｅが風によって振動したり旋回する運動により、苺５２の上部には何か生物が存在するように錯覚を起こさせ、鳥類が苺５２に飛来することを忌避させることができる。
【００３５】
さて、表面に酸化皮膜を設けたチタン片を吊り下げることにより、鳥類がチタン片を忌避して接近して来ない理由は理論的には解明されていない。しかし、経験則により酸化皮膜を施して表面を発色させた金属チタンには鳥類が接近しないことが知られている。例えば、チタン製の屋根や屋外に設置されたモニュメントには鳥類が停まらないことが昔から確認されている。この現象は、鳥類がチタンの表面を酸化させて発色させた特有の色彩を忌避するものと考えられている。その理由として、酸化皮膜により回折されて発色された表面の色は、鳥類からは何かの生物のように見える、という事実が挙げられる。鳥類は、自分とは異なる生物が存在している場所は危険であると本能的に判断し、接近しない習性を持っていると考えれるからである。また、長年の間で使用していると鳥類が学習して忌避しなくなるのではないかと思われるが、金属チタンを素材としている場合には学習効果は発生しないと判断できる。これは、設置してから十数年以上経過した金属チタン製の屋外モニュメントに鳥類が飛来したことが無い、という事実がある。鳥類はチタンの酸化皮膜による発色には学習能力が無い、と考えられる。このような経験則から、酸化させたチタンの表面から反射する独特の色彩から、鳥類は何かの生物であると本能的に判断するため、飛来を忌避することができる。また、吊り下げた金属反射片１１が風によって不連続に微妙に揺れるため、鳥類への学習効果が無く、永続的に鳥類を忌避することができる。
【００３６】
次に、本発明における『絡み自動解消』の機能について説明する。鳥類飛来防止装置の一つのユニットは図４で示されているが、水平方向に張った横ロープ１７に垂直に吊り下げ紐１３を垂れ下げてあると、長期の使用では金属反射片１１が風により吹き上げられ、吊り下げ紐１３が横ロープ１７に巻き付くことになる。これが『絡み』の現象であり、このような状態になると吊り下げ紐１３が十分に垂れ下がらず、金属反射片１１の自由な揺動を妨げることになる。このような状態となった場合には、従来は人手によって吊り下げ紐１３を横ロープ１７から巻きほぐし、絡みを解除していたが、手数のかかるものであった。本発明では、このような『絡み』の現象が発生しても、自動的に絡みを解除することができるものである。
【００３７】
図６は、本発明による『絡み自動解消』がどのように行われるかを説明したものである。図４では正常に金属反射片１１が吊り下げ紐１３で吊り下げられている状態であるが、この状態のときに金属反射片１１が強い風によって吹き上げられると吊り下げ紐１３がフリーパイプ１４の回りに巻き付けられる。図６は吊り下げ紐１３がフリーパイプ１４に巻き付き、絡んだ状態となっている。このような状態になっても、フリーパイプ１４は横ロープ１７に対して自由に回転できるように保持されている。そして、金属反射片１１の自重により吊り下げ紐１３は下方に引っ張られているため、フリーパイプ１４に一旦巻き付けられた吊り下げ紐１３はフリーパイプ１４を図６中でＧ方向に回転させるように作用する。Ｇ方向に回転すると、巻き付けた方向とは逆にフリーパイプ１４が回転し、吊り下げ紐１３の巻き付けを自動的に解消することになる。
【００３８】
このように、フリーパイプ１４が横ロープ１７に対して自由に回転できることから、一旦吊り下げ紐１３がフリーパイプ１４に巻き付いても自動的にその絡みを解消できる。このため、鳥類飛来防止装置を使用しても、吊り下げ紐１３は常時その全長を垂れ下げていて、その下端に金属反射片１１を吊り下げることができるので、鳥類の飛来防止を確実に行うことができ、人手などを煩わすことが無くなる。なお、吊り下げ紐１３の全長はフリーパイプ１４の長さの半分以下に設定してあるため、吊り下げ紐１３がフリーパイプ１４に絡んだとしても、横ロープ１７には絡まず、図６で示すようなＧ方向への作用力は必ず発生する。
【００３９】
次に、図７は本発明の第二の実施の形態を示すものである。図７は、第二の実施の形態における鳥類飛来防止装置を組み立てた状態を示すものである。この実施の形態では、第一の実施の形態におけるフリーパイプ１４を二分割し、二つのフリーパイプ５５と５６を使用している。
【００４０】
この実施の形態では、金属反射片１１、吊り下げ紐１３、結束バンド１５、１６、横ロープ１７は第一の実施の形態と同じであるが、フリーパイプ５５と５６は２つを使用していて、フリーパイプ５５と５６の長さは前述したフリーパイプ１４の半分の長さとなるように設定してある。各フリーパイプ５５と５６はそれぞれポリプロピレンなどの合成樹脂で成形した、内部中空の細長い円筒形をしていて、フリーパイプ５５、５６の内径は横ロープ１７の外径より少し大きくなるように設定してある。各部材の組み立て方は第一の実施の形態とほぼ同じであるが、吊り下げ紐１３の上端はフリーパイプ５５の一端に偏った位置に固定してある。すなわち、フリーパイプ５６の終端に接近した方のフリーパイプ５５の一端に吊り下げ紐１３が固定してあることになる。そして、結束バンド１５、１６はフリーパイプ５５、５６の両端の位置で横ロープ１７に締め付けてあるが、フリーパイプ５５、５６が横ロープ１７に対して自由に回転できるように、結束バンド１５、１６とフリーパイプ５５、５６とは少し間隔を開けてある。
【００４１】
この実施の形態においては、フリーパイプ５５と５６が一体でなく分割されているため、両者のつなぎ目では横ロープ１７がＶ１、Ｖ２の上下方向、Ｈ１、Ｈ２の水平方向に回曲することができるため、風などにより横ロープ１７を柔軟に曲げることができる。このため、金属反射片１１が揺動したり回転する場合に、その応力がフリーパイプ５５に伝えられても、柔軟にその応力を保持することができる。また、フリーパイプ５５と５６により横ロープ１７の外周が被覆されていても、フリーパイプ５５と５６の長さが第一の実施の形態におけるフリーパイプ１４の長さよりも細分化されるので、風などにより横ロープ１７全体が撓むことを妨げなくなる。
【００４２】
図８は、本発明の第三の実施の形態を示すものであり、第一、第二の実施の形態における金属反射片１１を改良したものである。
【００４３】
この実施の形態では、金属反射片１１の替わりに金属反射片６１を使用しているが、金属反射片６１の形状そのものは金属反射片１１と変わらず、細長い短冊状の平板を上下端で捻ってプロペラ状に加工してある。この金属反射片６１の上部には通し穴６２を開口してあるが、その下部には取付穴６３を開口してある。この取付穴６３には円筒形状をしたリング磁石６４を密着させ、リング磁石６４の中央孔と取付穴６３にはボルト６５を挿通し、突き抜けたボルト６５にナット６６をネジ込むことで、リング磁石６４、ボルト６５、ナット６６を一体にして金属反射片６１に固定している。このリング磁石６４はその一端がＮ極であり、他端がＳ極となるように着磁してある。
【００４４】
この構成では、金属反射片６１が吊り下げ紐１３により吊り下げられているが、風などにより揺動することで前述したように金属反射片６１の反射光で鳥類を忌避させることができる。さらに、リング磁石６４が磁性を持っていることから、取り付けた金属反射片６１が揺動することで変動する磁界を発生し、鳥類の方向感覚を狂わせる作用を発生する。鳥類は方向を判別するために地磁気による磁性を検知しているといわれ、その磁界が変動すると方向を判別する器官の感覚が狂うことになる。このため、変動する磁界のある場所には近寄らない性質があるため、金属反射片６１の反射光とリング磁石６４の磁界の相乗効果により、鳥類を忌避させる効果を大きくすることができる。
【００４５】
次に、図９は本発明の第四の実施の形態を示すものである。この実施の形態においては金属反射片１１を吊り下げている吊り下げ紐１３の途中には、金属やセラミック等で形成した釣鐘状をした風鈴７１を取り付けてある。さらに、吊り下げ紐１３には、その下部であって風鈴７１の内部空間に位置した部分に金属製の打ち球７２を固定してある。
【００４６】
この構成では、金属反射片１１が風によって振幅すると連結した吊り下げ紐１３が移動し、吊り下げ紐１３の動きに釣られて打ち球７２が揺動して風鈴７１に接触する。すると、打ち球７２の衝撃によって風鈴７１が鳥類の嫌う甲高い音を発生することになり、鳥類を忌避させることになる。同時に、金属反射片１１の反射光による色彩による鳥類の忌避効果も発生し、音と光の相乗効果により鳥類を忌避させることができる。
【００４７】
さらに、図１０、図１１は本発明の第五の実施の形態を示すものである。この実施の形態は、図７で示した第二の実施の形態を改良したものであり、共通する部材は図７と同じ符号を付して説明を省略している。図１０は組み立てる前の状態を示したもので、各部材をそれぞれ分解して示している。カシメ金具８１、８２は電気工事において電線を結束するために用いられるリングスリーブと呼ばれたり、ハトメと呼ばれたりする部材に似た構造である。このカシメ金具８１、８２は薄肉の金属筒で形成されていて、一端開口の周囲が広げられているもので、胴体部分をペンチなどで圧接することで内径を絞ることができるものである。このカシメ金具８１を図７で示した結束バンド１５の代わりに配置し、カシメ金具８２を図７で示した結束バンド１６の代わりに配置してある。また、自在金具８３は釣り具に用いられて、釣り糸を絡まないように連結するサルカンと呼ばれる部材とその構造が似ているものである。すなわち、中央には回転自在に上下の部材を連結し、上部には金属線で丸い挿通輪８４が形成され、下部には金属線で丸い挿通輪８５が形成されている。この構成のため、挿通輪８４と８５はそれぞれ周方向に自由に回転することができる。
【００４８】
この図１０で示された部材を用いて一つのユニットを組み立てるには、先ず紐輪１３−ｂを挿通輪８５の内部に通し、通過した紐輪１３−ｂの環状空間に他方の紐輪１３−ａを挿通して縛りあげる。次いで、紐輪１３−ａを通し穴１２に通して、通過した紐輪１３−ａの環状空間に挿通輪８５ごと紐輪１３−ｂを挿通して縛りあげる。こうして、金属反射片１１、吊り下げ紐１３、自在金具８３が一体となって直列に連結するように組み立てられる。そして、横ロープ１７をＡ方向から、カシメ金具８２、フリーパイプ５６、挿通輪８４、フリーパイプ５５、カシメ金具８１の順に挿通し、Ｂ方向に引き出す。その後にカシメ金具８１、８２の胴体の部分をペンチなどでかしめて変形させ、カシメ金具８１、８２の内径を狭くすることでカシメ金具８１、８２を横ロープ１７に食い込ませて固定する。カシメ金具８１、８２は真鍮などの柔らかい金属で構成してあるので、ペンチなどにより容易に変形し、その変形状態を維持することができる。このようにして組み立てられた一つのユニットが図１１で示されている。この組み立てにより、カシメ金具８１と８２の固定でフリーパイプ５５と５６がそれぞれ横ロープ１７の長さ方向に移動しないように規制することになるが、フリーパイプ５５、５６、自在金具８３が横ロープ１７の周方向で回転できるような自由度を持たせるように少しの隙間を明けた位置に固定してある。
【００４９】
この実施の形態では、吊り下げ紐１３は横ロープ１７の周方向に回転自在の自在金具８３に吊り下げられ、同時に自在金具８３は吊り下げ紐１３の周方向に回転自在に保持されている。すなわち、吊り下げ紐１３と金属反射片１１は横ロープ１７を軸にしてＸ−Ｘの方向に振動、回転することができ、同時に、横ロープ１７と直角のＹ−Ｙの方向に回転することできる。このため、強風によって金属反射片１１が大きく振られても、横ロープ１７を中心にして回転するだけで巻き付くことが無くなる。仮にフリーパイプ５５、５６に巻き付いたとしても、自在金具８３とフリーパイプ５５、５６が横ロープ１７に対して回転することができるので時間と共に巻き付いたのと反対方向に回転して自動的に巻き付きが解消される。また、自在金具８３が横ロープ１７に直接挿通してあるため、強い風が金属反射片１１に吹きつけても強固に連結を保持することができ、金属反射片１１が吹き飛ばされるのを防ぐことができる。また、フリーパイプ５５、５６、自在金具８３を横ロープ１７に保持してその位置を移動させないためには、金属製のカシメ金具８１、８２を用いたので、合成樹脂製の結束バンド１５、１６に比べて長期の使用でも変形したり緩んだりすることが無くなる。
【００５０】
【発明の効果】
本発明は上述のように構成したので、鳥類飛来防止装置を設置した付近に鳥類が飛来するのを忌避させることができ、住宅地の建物、耕作地、養魚場などに鳥類が接近するのを防止することができる。このため、建物の屋根やベランダに鳥類の糞が付着せず、清潔に保つことができ、ゴミ集積所でゴミが荒らされる被害が無くなる。耕作地では、穀物、野菜、果物などの農作物に鳥類が近づくことを忌避し、育成した農作物の食害を防ぐことができる。さらに、養殖場や生け簀などに設置すると、鳥類により魚がついばまれることを防ぐことができる。
【００５１】
この装置による鳥類の忌避は、チタンの表面に形成した酸化皮膜の発色が鳥類からは何かの生物が存在するように錯覚させるためである。この忌避効果は鳥類の本能によるものであることから、装置を永年使用しても慣れによる学習効果が発生せず、効果の永続性を維持できる。
【００５２】
鳥類を忌避させるためには、この装置を横ロープに吊り下げるだけで良く、防鳥網のような大がかりな部材を屋根やゴミ集積所などに張りめぐらせる必要が無く、設置の作業が簡素になる。
【００５３】
また、鳥類を忌避させるのは金属反射片による反射光であることから、超音波や威嚇音などのようにエネルギーを消費せず、長期の使用でもランニングコストが発生しないものである。
【００５４】
さらに、この装置で鳥類を忌避させる主要な部材は金属チタンによる金属反射片であるため公害や人体への影響が無い。このため、化学薬品を主体とうる忌避剤と比べ、人畜に無害であり、農作物の近くで使用しても薬害が発生しない。
【図面の簡単な説明】
【図１】本発明である鳥類飛来防止装置の第一の実施の形態を部材に分解して示した分解斜視図である。
【図２】本発明である鳥類飛来防止装置の第一の実施の形態に用いる金属反射片の加工の手順を示す説明図である。
【図３】本発明である鳥類飛来防止装置の第一の実施の形態に用いる吊り下げ紐の結び目の作成手順を示す説明図である。
【図４】本発明である鳥類飛来防止装置の第一の実施の形態を組み立てた状態を示す斜視図である。
【図５】本発明である鳥類飛来防止装置のユニットを複数使用し、耕作地における鳥類の忌避の具体例を示す説明図である。
【図６】本発明である鳥類飛来防止装置の第一の実施の形態において、絡みを自動的に解除する動作を示す説明図である。
【図７】本発明である鳥類飛来防止装置の第二の実施の形態を組み立てた状態を示す斜視図である。
【図８】本発明である鳥類飛来防止装置の第三の実施の形態における金属反射片の構成を示す分解斜視図である。
【図９】本発明である鳥類飛来防止装置の第四の実施の形態を組み立てた状態を示す斜視図である。
【図１０】本発明である鳥類飛来防止装置の第五の実施の形態を部材に分解して示した分解斜視図である。
【図１１】本発明である鳥類飛来防止装置の第五の実施の形態を組み立てた状態を示す斜視図である。
１１  金属反射片
１３  吊り下げ紐
１４  フリーパイプ
１５、１６  結束バンド
１７  横ロープ
５５、５６  フリーパイプ
６４  リング磁石
７１  風鈴
８１、８２  カシメ金具
８３    自在金具
【図１】
2004350610.tif 000003
【図２】
2004350610.tif 000004
【図３】
2004350610.tif 000005
【図４】
2004350610.tif 000006
【図５】
2004350610.tif 000007
【図６】
2004350610.tif 000008
【図７】
2004350610.tif 000009
【図８】
2004350610.tif 000010
【図９】
2004350610.tif 000011
【図１０】
2004350610.tif 000012
【図１１】
2004350610.tif 000013